(57)【要約】【課題】実質記録再生速度を平均化し、記録再生速度の不足を補うことの可能な記録再生方法および装置を提供すること。【解決手段】ハードディスクの実質記録再生速度が平均の記録再生速度に比べて外周になるほど大きく、中心に近くなるほど小さいことを考慮し、ハードディスクの記憶容量を均等に分割したときに外周部に近く実質記録再生速度が大きいパーティションを、その分、実質記録再生速度が小さい、他のハードディスクの中心に近いパーティションと組み合わせる。そして、実際のビデオ信号を連続して記録再生する際に、連続するビデオ信号を分割してファイル９１とファイル９２に分けて記録再生する。このときの分割されたファイル９１とファイル９２は、前記パーティションの組み合わせに従って、それぞれの組み合わせ内のパーティションに作成する。【選択図】図２
2009026368.tif 000002
【特許請求の範囲】
【請求項１】
複数の回転系記録媒体へアクセスし、前記複数の回転系記録媒体に対しディジタルビデオ信号の記録を行うビデオ記録装置であって、
前記複数の回転系記録媒体にそれぞれ対応して設けられたバッファメモリと、
前記複数の各回転系記録媒体の記憶容量を分割してなる、実質記録再生速度の平均化を実現するパーティションの組み合わせを含む前記各回転系記録媒体を管理するファイルシステムと、
記録の開始に先立ち、前記複数の各回転系記録媒体の記憶容量を分割してなる、実質記録再生速度の平均化を実現するパーティションの組み合わせを含む前記各回転系記録媒体を管理するファイルシステムを制御し、前記各回転系記録媒体の前記組み合わせられたパーティションごとに用意された異なるファイルをオープンし、前記各回転系記録媒体の前記ファイルに対し同時にアクセス可能な状態にし、記録中には、前記複数の回転系記録媒体のそれぞれに対応して設けられた複数のバッファメモリに対し適切なビデオ信号長で交互に振り分けて蓄積するビデオ信号振り分け手段と、
前記複数のバッファメモリに蓄積されたビデオ信号を該バッファメモリに対応する前記複数の各回転系記録媒体の前記組み合わせられたパーティションごとに用意された異なるファイルに対して同時に書込み、記録の終了後に前記ファイルシステムを制御し前記各回転系記録媒体のファイルをクローズするコントローラと、
を備えたことを特徴とするビデオ記録装置。
【請求項２】
前記コントローラは、前記複数の各回転系記録媒体の前記組み合わせられたパーティションごとに用意されたファイルに記録中のビデオ信号が収まらないと、前記各回転系記録媒体において空いている実質記録再生速度の平均化を実現する他のパーティションの組み合わせを使用し記録することを特徴とする請求項１記載のビデオ記録装置。
【請求項３】
前記パーティションは、前記複数の各回転系記録媒体の記憶容量を均等に分割してなり、
前記実質記録再生速度の平均化を実現するパーティションの組み合わせは、回転系記録媒体の記憶容量を均等に分割したときに外周部に近く実質記録再生速度が大きいパーティションと、他の回転系記録媒体の実質記録再生速度が小さい中心に近い内周部のパーティションとの組み合わせであることを特徴とする請求項１記載のビデオ記録装置。
【請求項４】
前記パーティションは、前記複数の各回転系記録媒体の記憶容量を、回転系記録媒体の外周部付近と中心に近い内周部付近とに偏らせた形態で分割してなり、前記実質記録再生速度の平均化を実現するパーティションの組み合わせは、回転系記録媒体の記憶容量を前記形態で分割したときに外周部に近く実質記録再生速度が大きいパーティションと、他の回転系記録媒体の実質記録再生速度が小さい中心に近い内周部のパーティションとの組み合わせであることを特徴とする請求項１記載のビデオ記録装置。
【請求項５】
前記パーティションは、前記複数の各回転系記録媒体の記憶容量を、回転系記録媒体の外周部付近と中心に近い内周部付近とに偏らせ指数関数的に変化させた形態で分割してなり、前記実質記録再生速度の平均化を実現するパーティションの組み合わせは、回転系記録媒体の記憶容量を前記形態で分割したときに外周部に近く実質記録再生速度が大きいパーティションと、他の回転系記録媒体の実質記録再生速度が小さい中心に近い内周部のパーティションとの組み合わせであることを特徴とする請求項１記載のビデオ記録装置。
【請求項６】
複数の回転系記録媒体へアクセスし、前記複数の回転系記録媒体に対しディジタルビデオ信号の再生を行うビデオ再生装置であって、
前記複数の回転系記録媒体にそれぞれ対応して設けられたバッファメモリと、
前記複数の各回転系記録媒体の記憶容量を分割してなる、実質記録再生速度の平均化を実現するパーティションの組み合わせを含む前記各回転系記録媒体を管理するファイルシステムと、
再生の開始に先立ち、前記ファイルシステムを制御し、前記各回転系記録媒体の前記組み合わせられたパーティションごとに用意された異なるファイルをオープンし、前記各回転系記録媒体の前記ファイルに対し同時にアクセス可能な状態にし、再生中には、前記各回転系記録媒体の前記組み合わせられたパーティションごとに用意されたファイルからビデオ信号を読み出し、該各回転系記録媒体に対応して設けられたそれぞれのバッファメモリに同時に蓄積し、前記各バッファメモリへ蓄積されたビデオ信号を同時ではなく、前記各バッファメモリから交互に読み出して、連続したビデオ信号を生成するビデオ信号振り分け手段と、
再生の終了後に、前記ファイルシステムを制御し、前記各回転系記録媒体のファイルをクローズするコントローラと、
を備えたことを特徴とするビデオ再生装置。
【請求項７】
前記パーティションは、前記複数の各回転系記録媒体の記憶容量を均等に分割してなり、
前記実質記録再生速度の平均化を実現するパーティションの組み合わせは、回転系記録媒体の記憶容量を均等に分割したときに外周部に近く実質記録再生速度が大きいパーティションと、他の回転系記録媒体の実質記録再生速度が小さい中心に近い内周部のパーティションとの組み合わせであることを特徴とする請求項６記載のビデオ再生装置。
【請求項８】
前記パーティションは、前記複数の各回転系記録媒体の記憶容量を、回転系記録媒体の外周部付近と中心に近い内周部付近とに偏らせた形態で分割してなり、前記実質記録再生速度の平均化を実現するパーティションの組み合わせは、回転系記録媒体の記憶容量を前記形態で分割したときに外周部に近く実質記録再生速度が大きいパーティションと、他の回転系記録媒体の実質記録再生速度が小さい中心に近い内周部のパーティションとの組み合わせであることを特徴とする請求項６記載のビデオ再生装置。
【請求項９】
前記パーティションは、前記複数の各回転系記録媒体の記憶容量を、回転系記録媒体の外周部付近と中心に近い内周部付近とに偏らせ指数関数的に変化させた形態で分割してなり、前記実質記録再生速度の平均化を実現するパーティションの組み合わせは、回転系記録媒体の記憶容量を前記形態で分割したときに外周部に近く実質記録再生速度が大きいパーティションと、他の回転系記録媒体の実質記録再生速度が小さい中心に近い内周部のパーティションとの組み合わせであることを特徴とする請求項６記載のビデオ再生装置。
【請求項１０】
複数の回転系記録媒体へアクセスし、前記複数の回転系記録媒体に対しディジタルビデオ信号の記録を行うビデオ記録方法であって、
記録の開始に先立ち、前記複数の各回転系記録媒体の記憶容量を分割してなる、実質記録再生速度の平均化を実現するパーティションの組み合わせを含む前記各回転系記録媒体を管理するファイルシステムをシステムコントローラが制御し、前記各回転系記録媒体の前記組み合わせられたパーティションごとに用意された異なるファイルをオープンし、前記各回転系記録媒体の前記ファイルに対し同時にアクセス可能な状態にするステップと、
記録中には、ビデオ信号振り分け手段による制御により、前記複数の回転系記録媒体のそれぞれに対応して設けられた複数のバッファメモリに対し適切なビデオ信号長で交互に振り分けて蓄積するステップと、
前記システムコントローラが前記複数のバッファメモリに蓄積されたビデオ信号を該バッファメモリに対応する前記複数の各回転系記録媒体の前記組み合わせられたパーティションごとに用意された異なるファイルに対して同時に書込むステップと、
記録の終了後に、前記システムコントローラが前記ファイルシステムを制御し、前記各回転系記録媒体のファイルをクローズするステップと、
を備えたことを特徴とするビデオ記録方法。
【請求項１１】
複数の回転系記録媒体へアクセスし、前記複数の回転系記録媒体に対しディジタルビデオ信号の再生を行うビデオ再生方法であって、
再生の開始に先立ち、前記複数の各回転系記録媒体の記憶容量を分割してなる、実質記録再生速度の平均化を実現するパーティションの組み合わせを含む前記各回転系記録媒体を管理するファイルシステムをシステムコントローラが制御し、前記各回転系記録媒体の前記組み合わせられたパーティションごとに用意された異なるファイルをオープンし、前記各回転系記録媒体の前記ファイルに対し同時にアクセス可能な状態にするステップと、
再生中に、前記各回転系記録媒体の前記組み合わせられたパーティションごとに用意されたファイルからビデオ信号を読み出し、該各回転系記録媒体に対応して設けられたそれぞれのバッファメモリに同時に蓄積するステップと、
前記各バッファメモリへ蓄積されたビデオ信号を同時ではなく、前記各バッファメモリから交互に読み出して、連続したビデオ信号を生成するステップと、
再生の終了後に、前記システムコントローラが前記ファイルシステムを制御し、前記各回転系記録媒体のファイルをクローズするステップと、
を備えたことを特徴とするビデオ再生方法。
【発明の詳細な説明】
【技術分野】
【０００１】
本発明は、回転系の記録媒体にアクセスし、映像処理されたデータを前記記録媒体に記録または再生する記録再生方法および装置に関する。
【背景技術】
【０００２】
従来の高画質、高分解能、高フレームレートのハードディスクビデオレコーダの機能ブロック図を図６に示す。
このハードディスクビデオレコーダは、ビデオ信号入力ブロック５５１、ビデオ同期回路５５２、ストリームエンコーダ５５３、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋ）０制御部５５４、第１のハードディスクドライブ５５５、第２のハードディスクドライブ５５６、システムコントローラ５５７、ファイルシステム５５８、ストリームデコーダ５５９およびビデオ信号出力ブロック５６０を備えている。
【０００３】
ビデオ信号入力ブロック５５１は、ビデオ信号を入力するための回路である。
ビデオ同期回路５５２は、入力されたビデオ信号に同期をとり、後段で必要な垂直同期信号、水平同期信号、クロック信号を含む各種信号を生成する回路である。
ストリームエンコーダ５５３は、入力されたビデオ信号に対してコーデックを行い、ビデオ信号の圧縮を行う回路である。
ＲＡＩＤ０制御部５５４は、圧縮されたディジタルビデオデータを、ＲＡＩＤ０制御部５５４において定められた一定データサイズごとに分割し、第１のハードディスクドライブ５５５および第２のハードディスクドライブ５５６に振り分けて記録するための制御を行う。
第１のハードディスクドライブ５５５および第２のハードディスクドライブ５５６は、一定データサイズごとに分割され圧縮されたディジタルビデオデータを記録する。
システムコントローラ５５７はＲＡＩＤ０制御部５５４を含む各部の制御を行う。
ファイルシステム５５８は、第１のハードディスクドライブ５５５および第２のハードディスクドライブ５５６を管理下に置き、一定データサイズごとに分割され圧縮されたディジタルビデオデータを第１のハードディスクドライブ５５５および第２のハードディスクドライブ５５６へ振り分けて記録する際のファイル管理を行う。
ストリームデコーダ５５９は、ＲＡＩＤ０制御部５５４の制御下で第１のハードディスクドライブ５５５および第２のハードディスクドライブ５５６から読み出された圧縮ビデオデータを伸長しデコードする回路である。
ビデオ信号出力ブロック５６０は、デコードされたビデオ信号に同期信号などを付加しシステムに入力されたビデオ信号と同様の波形にして出力する回路ブロックである。
【０００４】
次に動作について説明する。
ビデオ信号の記録時には、ビデオ信号がビデオ信号入力ブロック５５１に入力される。そして、さらにビデオ同期回路５５２において、ビデオ信号入力ブロック５５１に入力されたビデオ信号に同期をとることで次のブロックで必要な垂直同期信号、水平同期信号、クロック信号を含む各種信号を生成する。
次のストリームエンコーダ５５３では、入力されたビデオ信号に対してコーデックを行いビデオ信号の圧縮を行う。
ＲＡＩＤ０制御部５５４では、圧縮されたディジタルビデオデータを、ＲＡＩＤ０制御部５５４において定められた一定データサイズごとに分割し、複数のＨＤＤドライブ、ここでは第１のハードディスクドライブ５５５および第２のハードディスクドライブ５５６に振り分けて記録する。
【０００５】
ビデオ信号の再生時には、ＲＡＩＤ０制御部５５４が、分割記録されたビデオデータを第１のハードディスクドライブ５５５および第２のハードディスクドライブ５５６から読み出し、分割されていたデータを分割前の元の圧縮されたビデオデータに再構成して取り出す。取り出されたデータは、ストリームデコーダ５５９でデコードされ、次のブロックに送られる。ビデオ信号出力ブロック５６０では、デコードされたビデオ信号にビデオ同期回路５５２において生成した同期信号等を付加しシステムに入力されたビデオ信号と同様の波形にして出力する。
【０００６】
ＨＤ（Ｈｉｇｈ  Ｄｅｆｉｎｉｔｉｏｎ ハイディフニッション）、或いはＨＦＲ（Ｈｉｇｈ  Ｆｒａｍｅ  Ｒａｔｅ  ハイフレームレート）等の高画質なビデオ信号を扱うハードディスクビデオレコーダでは、ハードディスクドライブ（ＨＤＤ）に記録再生するデータの量が増大し、より高速で連続したデータの記録再生が必要となる。
そこでこのような場合に使用するＨＤＤは、インタフェースとしてより高速のデータ転送レートのインタフェース規格を採用しているＨＤＤを選択し、ディスクの回転数が高く、記録密度の向上に伴って高速化した、ＨＤＤの磁気ヘッドが磁気ディスクに記録再生する実際の記録再生スピードの速い仕様のものを選んで採用する。
現状では、上記の要求を満たそうとすると３．５インチのＨＤＤドライブで、より高速のインタフェース規格を採用し、ディスクの回転数が早いものを選択することになる。
また、映像データのような時間的に連続するデータを途切れなく高速に記録する技術として、ホストバスのアイドル時間を可能な限りデータ転送に割り当て、またコンピュータ上のメモリからホストアダプタ上のバッファメモリに転送する処理と、該バッファメモリからハードディスクに転送する処理とを並行して行うことにより、より高速なデータの記録および読み出しを可能にし、高ビットレートなデータストリームを高速で記録および読み出せるようにしたものがある（特許文献１参照）。
【特許文献１】特開平１０−２７５０５８号公報
【発明の開示】
【発明が解決しようとする課題】
【０００７】
従って従来のハードディスクビデオレコーダにおいて、上記のような要求を満たそうとすると、３．５インチのＨＤＤドライブで、より高速のインタフェース規格を採用し、ディスクの回転数が早いものを選択することになる。
しかし、ハードディスクビデオレコーダにおいて、小型のシステムやモバイルのシステムでは、３．５インチのＨＤＤではサイズが大きすぎて不向きであり、２．５インチかそれ以下のＨＤＤを使用することになる。
このような小型のＨＤＤを使用する場合に、ＨＤＤドライブのインタフェースは３．５インチＨＤＤ同様に高速である。また記録容量に関しては、３．５インチＨＤＤに比較すると少ないが許容できる範囲である。しかし、実際のビデオ信号を連続して記録再生する実質記録再生スピードが不足する。
これを解決する一般的な方法として、複数のＨＤＤドライブを使用し、ＲＡＩＤ０を構成し、実質的な記録再生スピードを向上させて対処する方法がある。
ＲＡＩＤ０では、記録再生データをデータとは無関係にＲＡＩＤ０システムが決めたサイズで分割して、複数のＨＤＤに振り分けて記録再生する。
【０００８】
しかしながら、このように実質的な記録再生スピードを上げるためにＲＡＩＤ０を使用した場合であっても、依然として次に述べるような問題点が残ることになる。つまり、ハードディスクの周速度は外周になるほど大きく、内周になるほど小さい。この結果、ハードディスクの全容量に近い量のデータをハードディスクへ記録したり、ハードディスクから読み出すため、ハードディスクの内周付近の記録速度が不足するエリアに対しアクセスすることになることから動作速度が低下し、実質記録再生速度が不足するという問題点がある。
【０００９】
本発明は、このような事情に鑑みてなされたものであり、その目的は、回転系の記録媒体における実質記録再生速度を平均化し、記録再生速度の不足を補うことの可能な記録再生方法および装置を提供することにある。
【課題を解決するための手段】
【００１０】
上記目的を達成するために本発明は、複数の回転系記録媒体へアクセスし、前記複数の回転系記録媒体に対しディジタルビデオ信号の記録を行うビデオ記録装置であって、前記複数の回転系記録媒体にそれぞれ対応して設けられたバッファメモリと、前記複数の各回転系記録媒体の記憶容量を分割してなる、実質記録再生速度の平均化を実現するパーティションの組み合わせを含む前記各回転系記録媒体を管理するファイルシステムと、記録の開始に先立ち、前記複数の各回転系記録媒体の記憶容量を分割してなる、実質記録再生速度の平均化を実現するパーティションの組み合わせを含む前記各回転系記録媒体を管理するファイルシステムを制御し、前記各回転系記録媒体の前記組み合わせられたパーティションごとに用意された異なるファイルをオープンし、前記各回転系記録媒体の前記ファイルに対し同時にアクセス可能な状態にし、記録中には、前記複数の回転系記録媒体のそれぞれに対応して設けられた複数のバッファメモリに対し適切なビデオ信号長で交互に振り分けて蓄積するビデオ信号振り分け手段と、前記複数のバッファメモリに蓄積されたビデオ信号を該バッファメモリに対応する前記複数の各回転系記録媒体の前記組み合わせられたパーティションごとに用意された異なるファイルに対して同時に書込み、記録の終了後に前記ファイルシステムを制御し前記各回転系記録媒体のファイルをクローズするコントローラとを備えたことを特徴とする。
【００１１】
上記目的を達成するために本発明は、複数の回転系記録媒体へアクセスし、前記複数の回転系記録媒体に対しディジタルビデオ信号の再生を行うビデオ再生装置であって、前記複数の回転系記録媒体にそれぞれ対応して設けられたバッファメモリと、前記複数の各回転系記録媒体の記憶容量を分割してなる、実質記録再生速度の平均化を実現するパーティションの組み合わせを含む前記各回転系記録媒体を管理するファイルシステムと、再生の開始に先立ち、前記ファイルシステムを制御し、前記各回転系記録媒体の前記組み合わせられたパーティションごとに用意された異なるファイルをオープンし、前記各回転系記録媒体の前記ファイルに対し同時にアクセス可能な状態にし、再生中には、前記各回転系記録媒体の前記組み合わせられたパーティションごとに用意されたファイルからビデオ信号を読み出し、該各回転系記録媒体に対応して設けられたそれぞれのバッファメモリに同時に蓄積し、前記各バッファメモリへ蓄積されたビデオ信号を同時ではなく、前記各バッファメモリから交互に読み出して、連続したビデオ信号を生成するビデオ信号振り分け手段と、再生の終了後に、前記ファイルシステムを制御し、前記各回転系記録媒体のファイルをクローズするコントローラとを備えたことを特徴とする。
【００１２】
上記目的を達成するために本発明は、複数の回転系記録媒体へアクセスし、前記複数の回転系記録媒体に対しディジタルビデオ信号の記録を行うビデオ記録方法であって、記録の開始に先立ち、前記複数の各回転系記録媒体の記憶容量を分割してなる、実質記録再生速度の平均化を実現するパーティションの組み合わせを含む前記各回転系記録媒体を管理するファイルシステムをシステムコントローラが制御し、前記各回転系記録媒体の前記組み合わせられたパーティションごとに用意された異なるファイルをオープンし、前記各回転系記録媒体の前記ファイルに対し同時にアクセス可能な状態にするステップと、記録中には、ビデオ信号振り分け手段による制御により、前記複数の回転系記録媒体のそれぞれに対応して設けられた複数のバッファメモリに対し適切なビデオ信号長で交互に振り分けて蓄積するステップと、前記システムコントローラが前記複数のバッファメモリに蓄積されたビデオ信号を該バッファメモリに対応する前記複数の各回転系記録媒体の前記組み合わせられたパーティションごとに用意された異なるファイルに対して同時に書込むステップと、記録の終了後に、前記システムコントローラが前記ファイルシステムを制御し、前記各回転系記録媒体のファイルをクローズするステップとを備えたことを特徴とする。
【００１３】
上記目的を達成するために本発明は、複数の回転系記録媒体へアクセスし、前記複数の回転系記録媒体に対しディジタルビデオ信号の再生を行うビデオ再生方法であって、再生の開始に先立ち、前記複数の各回転系記録媒体の記憶容量を分割してなる、実質記録再生速度の平均化を実現するパーティションの組み合わせを含む前記各回転系記録媒体を管理するファイルシステムをシステムコントローラが制御し、前記各回転系記録媒体の前記組み合わせられたパーティションごとに用意された異なるファイルをオープンし、前記各回転系記録媒体の前記ファイルに対し同時にアクセス可能な状態にするステップと、再生中に、前記各回転系記録媒体の前記組み合わせられたパーティションごとに用意されたファイルからビデオ信号を読み出し、該各回転系記録媒体に対応して設けられたそれぞれのバッファメモリに同時に蓄積するステップと、前記各バッファメモリへ蓄積されたビデオ信号を同時ではなく、前記各バッファメモリから交互に読み出して、連続したビデオ信号を生成するステップと、再生の終了後に、前記システムコントローラが前記ファイルシステムを制御し、前記各回転系記録媒体のファイルをクローズするステップとを備えたことを特徴とする。
【発明の効果】
【００１４】
このような本発明の記録再生方法および装置によれば、回転系記録媒体に対する実質記録再生速度を平均化し、記録再生速度の不足を補うことの可能な記録再生方法および装置を提供できる効果がある。
【発明を実施するための最良の形態】
【００１５】
（第１の実施の形態）
次に、本発明の第１の実施の形態による記録再生方法および装置について図面を参照して説明する。
図１は、本発明の第１の実施の形態による記録再生方法を実現するハードディスクビデオレコーダの機能ブロック図である。
このハードディスクビデオレコーダは、ビデオ信号入力ブロック１、ビデオ同期回路２、ストリームエンコーダ３、書き込み用切り替え回路（ビデオ信号振り分け手段）４、第１のハードディスクドライブ用のバッファメモリ５、第１のハードディスクドライブ７、第２のハードディスクドライブ８、第２のハードディスクドライブ用のバッファメモリ６、読み出し用切り替え回路（ビデオ信号振り分け手段）１１、ストリームデコーダ１２、ビデオ信号出力ブロック１３、アプリケーションソフトウェア（ビデオ信号振り分け手段）２１、システムコントローラ２２およびファイルシステム２３を備えている。
【００１６】
ビデオ信号入力ブロック１は、ビデオ信号を入力するための回路である。
ビデオ同期回路２は、入力されたビデオ信号に同期をとり、後段で必要な垂直同期信号、水平同期信号、クロック信号を含む各種信号を生成する回路である。
ストリームエンコーダ３は、入力されたビデオ信号に対してコーデックを行い、ビデオ信号の圧縮を行う回路である。
【００１７】
書き込み用切り替え回路４は、アプリケーションソフトウェア２１の制御により、前段から送られて来るコーデックされたディジタルビデオデータを適切なビデオ信号長（例えば、フレームデータ長、或いはＭＰＥＧ信号であればＧＯＰ長、或いは任意に定めた数百バイトから数百メガバイト長、等）で交互に振り分けてバッファメモリ５とバッファメモリ６に入力するための回路である。
このときのディジタルビデオデータ処理としては、ディジタルビデオデータを数百バイトから数百メガバイトの特定サイズに分割し、バッファメモリ５とバッファメモリ６に交互に振り分けて書き込む。また、この場合、バッファメモリ５、６は、ハードディスクドライブ７，８の書込み（または読み出し）の処理速度の数倍の処理速度を有している。このため、ハードディスクドライブ７，８の書込み（または読み出し）処理速度が遅くても、ディジタルビデオデータを処理速度の速いバッファメモリ５とバッファメモリ６に交互に振り分けて蓄積し、このビデオ信号を対応するハードディスクドライブ７，８に同時に書き込む（または読み出し）ことで、ビデオ信号の高速書き込み、または読み出しが可能になる。
【００１８】
バッファメモリ５は、第１のハードディスクドライブ７に対応したバッファであり、第１のハードディスクドライブ７へ書き込まれる圧縮されたディジタルビデオデータ、または第１のハードディスクドライブ７から読み出された圧縮されたディジタルビデオデータを一時的に格納する回路である。
バッファメモリ６は、第２のハードディスクドライブ８に対応したバッファであり、第２のハードディスクドライブ８へ書き込まれる圧縮されたディジタルビデオデータ、または第２のハードディスクドライブ８から読み出された圧縮されたディジタルビデオデータを一時的に格納する回路である。
【００１９】
第１のハードディスクドライブ７および第２のハードディスクドライブ８は、所定のデータサイズごとに分割され圧縮されたディジタルビデオデータを記録する。
さらに、これら第１のハードディスクドライブ７および第２のハードディスクドライブ８は、そのハードディスクの記憶容量が均等にパーティションに分割され用いられる。
読み出し用切り替え回路１１は、アプリケーションソフトウェア２１により制御され、バッファメモリ５とバッファメモリ６に蓄えられたディジタルビデオデータを、バッファメモリ５とバッファメモリ６とから交互に取り出して連続したディジタルビデオデータを作成するための切り替え動作を行う。
【００２０】
アプリケーションソフトウェア２１は、数百バイトから数百メガバイトの特定サイズごとに、バッファメモリ５とバッファメモリ６へデータが交互に振り分けられるように書き込み用切り替え回路４の切り替え動作を制御する。
また、第１のハードディスクドライブ７と第２のハードディスクドライブ８とから同時に読み出され、それぞれバッファメモリ５とバッファメモリ６に蓄えられたディジタルビデオデータを、バッファメモリ５とバッファメモリ６とから交互に取り出し、連続したディジタルビデオデータを作成するための読み出し用切り替え回路１１による切り替え動作を制御する。
具体的には、システムコントローラ２２がアプリケーションソフト２１を実行することにより、前記書き込み用切り替え回路４の切り替え動作の制御および読み出し用切り替え回路１１による切り替え動作の制御がなされる。
【００２１】
システムコントローラ２２は、バッファメモリ５とバッファメモリ６へ蓄えられたディジタルビデオデータについて、第１のハードディスクドライブ７および第２のハードディスクドライブ８の各パーティションへの書き込みと、再生要求されたファイルに対して、第１のハードディスクドライブ７および第２のハードディスクドライブ８を管理下におくファイルシステム２３を制御し、その要求ファイルである第１のハードディスクドライブ７および第２のハードディスクドライブ８の各パーティションに作成されているファイルを特定し読み出しが出来るようにするものである。
システムコントローラ２２は、例えば、ＣＰＵ、制御プログラムなどを格納するＲＯＭ、ワーキングエリアを提供するＲＡＭ、周辺回路とのインタフェースをとるインタフェース部などがバスによって接続されたマイクロコンピュータによって構成されたものであり、前記ＣＰＵが制御プログラムを実行することにより機能するものである。
【００２２】
ファイルシステム２３は、第１のハードディスクドライブ７および第２のハードディスクドライブ８を管理下におき、所定のデータサイズごとに分割され圧縮されたディジタルビデオデータを、第１のハードディスクドライブ７および第２のハードディスクドライブ８の各パーティションへ振り分けて記録する際のファイル管理を行う。
【００２３】
ストリームデコーダ１２は、第１のハードディスクドライブ７および第２のハードディスクドライブ８から読み出された圧縮ビデオデータを伸長しデコードする回路である。
ビデオ信号出力ブロック１３は、デコードされたビデオ信号に同期信号などを付加しシステムに入力されたビデオ信号と同様の波形にして出力する回路である。
【００２４】
次に動作について説明する。
図２は、この第１の実施の形態の記録方法の動作を示す説明図である。この第１の実施の形態の記録方法は、図１に示すシステムコントローラ２２によるアプリケーションソフトウェア２１の実行と、システムコントローラ２２により制御されるファイルシステム２３とにより実現される。
図２は、ハードディスク１（以下、ＨＤＤ１という）とハードディスク２（以下、ＨＤＤ２という）との実際のビデオ信号を連続して記録再生する実質記録再生スピードの不足に対応するため、連続するビデオ信号を分割して、ファイル９１とファイル９２とから成る、記憶容量が均等に複数のパーティションに分割された複数のハードディスクに振り分けて記録する様子を示す。
なお、図２において図１と同一箇所については同一の符号を付してある。
【００２５】
図２においてＨＤＤ１およびＨＤＤ２はその記憶容量が均等に複数のパーティションに分割されている。ＨＤＤ１は記憶容量が均等にパーティション１７１，１７２，１７３，１７４，１７５に分割されている。また、ＨＤＤ２は記憶容量が均等にパーティション１８１，１８２，１８３，１８４，１８５に分割されている。そして、分割されたパーティションを、始めのパーティションは最後のパーティションと組み合わせ、次に、始めから２番目のパーティションは最後から２番目のパーティションと組み合わせ、次々に組み合わせる。
図２では、ＨＤＤ１の始めのパーティション１７１は、ＨＤＤ２の最後のパーティション１８５と組み合わせ、ＨＤＤ１の始めから２番目のパーティション１７２とＨＤＤ２の最後から２番目のパーティション１８４と組み合わせ、順次、パーティション１７３とパーティション１８３、パーティション１７４とパーティション１８２、パーティション１７５とパーティション１８１、というようにＨＤＤ１のパーティションとＨＤＤ２のパーティションとを組み合わせる。
この場合のパーティションの組み合わせは、ハードディスクの記録エリアの周速度が外周になるほど大きく、中心に近くなるほど小さい、つまり実質記録再生速度が平均の記録再生速度に比べて外周になるほど大きく、中心に近くなるほど小さいことを考慮し、ハードディスクの記憶容量を均等に分割したときに外周部に近く実質記録再生速度が大きいパーティションを、その分、実質記録再生速度が小さい、他のハードディスクの中心に近いパーティションと組み合わせる。
そして、実際のビデオ信号を連続して記録再生する際において、連続するビデオ信号を分割してファイル９１とファイル９２に分けて記録再生する。このときの分割されたファイル、ファイル９１とファイル９２は、図２に示すパーティションの組み合わせに従って、それぞれの組み合わせ内のパーティションに作成する。
図２の例では、パーティション１７１とパーティション１８５の組み合わせ内に、ファイル９１とファイル９２を記録再生する状況を示した。
【００２６】
以上のように、本実施の形態によれば、分割したファイルが各ハードディスク間で読み書きスピードの速いパーティションと遅いパーティションの組み合わせになるため、ＨＤＤ１とＨＤＤ２へ実際のビデオ信号を連続して記録再生する場合に、実質記録再生スピードが平均化されて、一定のパフォーマンスを維持できる記録再生方法および装置を提供できる効果がある。
【００２７】
（第２の実施の形態）
図３は、この第２の実施の形態の記録方法の動作を示す説明図である。この第２の実施の形態の記録方法は、図１に示すシステムコントローラ２２によるアプリケーションソフトウェア２１の実行と、システムコントローラ２２により制御されるファイルシステム２３とにより実現される。
図３は、ＨＤＤ１とＨＤＤ２との実際のビデオ信号を連続して記録再生する実質記録再生スピードの不足に対応するため、連続するビデオ信号を分割して、ハードディスクの記憶領域の始めと終わり付近、つまりハードディスクの外周部付近と中心に近い内周部付近に偏らせてその記憶容量を複数のパーティションに分割し、ファイル９１とファイル９２とを複数のハードディスクに振り分けて記録する様子を示す。
なお、図３において図１と同一箇所については同一の符号を付してある。
【００２８】
図３においてＨＤＤ１およびＨＤＤ２はその記憶容量が前記複数のパーティションに分割されている。ＨＤＤ１は記憶容量が外周部付近のパーティション２７１，２７２と、中心に近い内周部付近のパーティション２７４，２７５と、中間のパーティション２７３とに分割されている。また、ＨＤＤ２は記憶容量が外周部付近のパーティション２８１，２８２と、中心に近い内周部付近のパーティション２８４，２８５と、中間のパーティション２８３とに分割されている。
そして、分割されたパーティションを、始めのパーティションは最後のパーティションと組み合わせ、次に、始めから２番目のパーティションは最後から２番目のパーティションと組み合わせ、次々に組み合わせる。
図３では、ＨＤＤ１の始めのパーティション２７１は、ＨＤＤ２の最後のパーティション２８５と組み合わせ、ＨＤＤ１の始めから２番目のパーティション２７２とＨＤＤ２の最後から２番目のパーティション２８４と組み合わせ、順次、パーティション２７３とパーティション２８３、パーティション２７４とパーティション２８２、パーティション２７５とパーティション２８１、というようにＨＤＤ１のパーティションとＨＤＤ２のパーティションとを組み合わせる。
この場合のパーティションの組み合わせは、ハードディスクの記録エリアの周速度が外周になるほど大きく、中心に近くなるほど小さい、つまり実質記録再生速度が平均の記録再生速度に比べて外周になるほど大きく、中心に近くなるほど小さいことを考慮し、
外周部付近と中心に近い内周部付近に限定して、ハードディスクの記憶容量を均等に分割したときに外周部に近く実質記録再生速度が大きいパーティションを、その分、実質記録再生速度が小さい、他のハードディスクの中心に近い内周部のパーティションと組み合わせる。
そして、実際のビデオ信号を連続して記録再生する際において、連続するビデオ信号を分割してファイル９１とファイル９２に分けて記録再生する。このときの分割されたファイル、ファイル９１とファイル９２は、図３示すパーティションの組み合わせに従って、それぞれの組み合わせ内のパーティションに作成する。
図３の例では、パーティション２７１とパーティション２８５の組み合わせ内に、ファイル９１とファイル９２を記録再生する状況を示した。
【００２９】
以上のように、本第２の実施の形態によれば、ハードディスクのビデオ信号を連続して記録再生する場合の実質記録再生スピードは、ハードディスクの記録再生の始めと終わりが、その動作スピードにおいて急な変化を示す。このため、分割したファイルが、ハードディスクの外周部付近と中心に近い内周部付近に偏らせて分割した複数のパーティションの組み合わせで構成することで、各ハードディスク間で読み書きスピードの速いパーティションと遅いパーティションとの組み合わせになるようにする。この結果、ＨＤＤ１とＨＤＤ２へ実際のビデオ信号を連続して記録再生する場合に、実質記録再生スピードが平均化されて、一定のパフォーマンスを維持できる記録再生方法および装置を提供できる効果がある。
【００３０】
（第３の実施の形態）
図４は、この第３の実施の形態の記録方法の動作を示す説明図である。この第３の実施の形態の記録方法は、図１に示すシステムコントローラ２２によるアプリケーションソフトウェア２１の実行と、システムコントローラ２２により制御されるファイルシステム２３とにより実現される。
図４は、ＨＤＤ１とＨＤＤ２との実際のビデオ信号を連続して記録再生する実質記録再生スピードの不足に対応するため、連続するビデオ信号を分割して、ハードディスクの記憶領域を指数関数的に複数のパーティションに分割し、ファイル９１とファイル９２とを複数のＨＤＤに振り分けて記録する様子を示す。
なお、図４において図１と同一箇所については同一の符号を付してある。
【００３１】
図４においてＨＤＤ１およびＨＤＤ２はその記憶容量が指数関数的に変化する形態で複数のパーティションに分割されている。つまり、前記第１の実施の形態ではパーティションの分割が各パーティション均等であったのに対し、ハードディスクの外周部と中心付近の内周部において非線形的に変化するような形態で分割されている。すなわちＨＤＤ１の外周部では、“パーティション３７１の容量＜パーティション３７２の容量＜パーティション３７３の容量”というように分割される。また、内周部では、“パーティション３７３の容量＞パーティション３７４の容量＞パーティション３７５の容量”というように分割される。ＨＤＤ２の外周部では、“パーティション３８１の容量＜パーティション３８２の容量＜パーティション３８３の容量”というように分割される。また、内周部では、“パーティション３８３の容量＞パーティション３８４の容量＞パーティション３８５の容量”というように分割される。
そして、分割されたパーティションを、ハードディスク間で、始めのパーティションは最後のパーティションと、始めから２番目のパーティションは最後から２番目のパーティションと組み合わせ、次々に組み合わせる。
【００３２】
図４では、ＨＤＤ１の始めのパーティション３７１は、ＨＤＤ２の最後のパーティション３８５と組み合わせ、ＨＤＤ１の始めから２番目のパーティション３７２とＨＤＤ２の最後から２番目のパーティション３８４と組み合わせ、順次、パーティション３７３とパーティション３８３、パーティション３７４とパーティション３８２、パーティション３７５とパーティション３８１、というように指数関数的に分割されたＨＤＤ１のパーティションとＨＤＤ２のパーティションとを組み合わせる。
この場合のパーティションの組み合わせは、ハードディスクの記録エリアの周速度が外周になるほど大きく、中心に近くなるほど小さい、つまり実質記録再生速度が平均の記録再生速度に比べて外周になるほど大きく、中心に近くなるほど小さいことを考慮し、外周部付近と中心に近い内周部付近でハードディスクの記憶容量を指数関数的に変化するように分割したときに、外周部に近く実質記録再生速度が大きいパーティションを、その分、実質記録再生速度が小さい、他のハードディスクの中心に近い内周部のパーティションと組み合わせる。
そして、実際のビデオ信号を連続して記録再生する際において、連続するビデオ信号を分割してファイル９１とファイル９２に分けて記録再生する。このときの分割されたファイル、すなわちファイル９１とファイル９２は、図４示すパーティションの組み合わせに従って、それぞれの組み合わせ内のパーティションに作成する。
図４の例では、パーティション３７１とパーティション３８５の組み合わせ内に、ファイル９１とファイル９２を記録再生する状況を示した。
【００３３】
以上のように、本第３の実施の形態によれば、ハードディスクのビデオ信号を連続して記録再生する場合の実質記録再生スピードは、ハードディスクの記録再生の始めと終わりが、その動作スピードにおいて急な変化を示す。このため、分割したファイルが、ハードディスクの外周部付近と中心に近い内周部付近で指数関数的に変化するように分割した複数のパーティションの組み合わせで構成されるようにすることで、各ハードディスク間で読み書きスピードの速いパーティションと遅いパーティションとの組み合わせになるようにする。この結果、ＨＤＤ１とＨＤＤ２へ実際のビデオ信号を連続して記録再生する場合に、実質記録再生スピードが平均化されて、一定のパフォーマンスを維持できる記録再生方法および装置を提供できる効果がある。
【００３４】
（第４の実施の形態）
図５は、この第４の実施の形態の記録方法の動作を示す説明図である。この第４の実施の形態の記録方法は、図１に示すシステムコントローラ２２によるアプリケーションソフトウェア２１の実行と、システムコントローラ２２により制御されるファイルシステム２３とにより実現される。
図５は、ＨＤＤ１、ＨＤＤ２、ＨＤＤ３、ＨＤＤ４、ＨＤＤ５の合計５台のハードディスクを使用し、実際のビデオ信号を連続して記録再生する実質記録再生スピードの不足に対応するため、連続するビデオ信号を分割し、均等に記憶容量が複数のパーティションに分割された複数のＨＤＤにファイル９３、ファイル９４、ファイル９５、ファイル９６、ファイル９７として振り分け記録する様子を示す。
なお、図５において、符号４１は図１に示す書き込み用切り替え回路４に相当するものである。
この第４の実施の形態では、図５に示すように、ＨＤＤ１、ＨＤＤ２、ＨＤＤ３、ＨＤＤ４、ＨＤＤ５はその記憶容量が均等に複数のパーティションに分割されている。そして、分割されたパーティションを、実質記録再生スピードが平均化されるようにハードディスク間で順次、組み合わせる。
この場合のパーティションの組み合わせは、ハードディスクの記録エリアの周速度が外周になるほど大きく、中心に近くなるほど小さい、つまり実質記録再生速度が平均の記録再生速度に比べて外周になるほど大きく、中心に近くなるほど小さいことを考慮し、ハードディスクの記憶容量を均等に分割したときに外周部に近く実質記録再生速度が大きいパーティションを、その分、実質記録再生速度が小さい、他のハードディスクの中心に近いパーティションと組み合わせる。
そして、実際のビデオ信号を連続して記録再生する際において、連続するビデオ信号を分割してファイル９３、ファイル９４、ファイル９５、ファイル９６、ファイル９７に分けて記録再生する。このときの分割されたファイル、ファイル９３、ファイル９４、ファイル９５、ファイル９６、ファイル９７は、図５に示すパーティションの組み合わせに従って、それぞれの組み合わせ内のパーティションに作成する。
【００３５】
以上のように、本第４の実施の形態によれば、分割したファイルが各ハードディスク間で読み書きスピードの速いパーティションと遅いパーティションの組み合わせになるため、ＨＤＤ１、ＨＤＤ２、ＨＤＤ３、ＨＤＤ４、ＨＤＤ５へ実際のビデオ信号を連続して記録再生する場合に、実質記録再生スピードが平均化されて、一定のパフォーマンスを維持できる記録再生方法および装置を提供できる効果がある。
【００３６】
なお、以上の説明ではハードディスクの記憶容量が均等に複数のパーティションに分割される場合に適用した例を説明したが、第２の実施の形態のハードディスクの外周部付近と中心に近い内周部付近に偏らせてその記憶容量を複数のパーティションに分割する場合、前記第３の実施の形態のハードディスクの記憶領域を指数関数的に複数のパーティションに分割する場合に適用しても同様な効果が得られる。
【００３７】
（第５の実施の形態）
以上、第１の実施の形態から第４の実施の形態において、連続するビデオ信号を複数に分割して、複数のハードディスクに振り分けて記録する方法について説明した。これらハードディスクへの連続記録中に、組み合わせたパーティションの一つにファイルが収まらなくなった場合、ファイルを新しい名前に切り換え、他の空いている組み合わせパーティションに移行する。これにより、ハードディスクをパーティション分割して使用しているが、ハードディスクがフルになるまで連続するビデオ信号を記録することが出来る。
【００３８】
（第６の実施の形態）
以上、第１の実施の形態から第５の実施の形態においては、連続するビデオ信号を複数に分割して、複数のハードディスクに振り分けて記録する方法について説明したが、ハードディスクに限定することなく、ＣＤ−ＲＷなどの回転系記録媒体にも適用できる。
【図面の簡単な説明】
【００３９】
【図１】本発明の第１の実施の形態による記録再生方法を実現するハードディスクビデオレコーダの機能ブロック図である。
【図２】本発明の第１の実施の形態の記録方法の動作を示す説明図である。
【図３】本発明の第２の実施の形態の記録方法の動作を示す説明図である。
【図４】本発明の第３の実施の形態の記録方法の動作を示す説明図である。
【図５】本発明の第４の実施の形態の記録方法の動作を示す説明図である。
【図６】従来のハードディスクビデオレコーダの機能ブロック図である。
【符号の説明】
【００４０】
７……第１のハードディスクドライブ、８……第２のハードディスクドライブ、４……書き込み用切り替え回路（ビデオ信号振り分け手段）、１１……読み出し用切り替え回路（ビデオ信号振り分け手段）、２１……アプリケーションソフトウェア（ビデオ信号振り分け手段）、２２……システムコントローラ、２３……ファイルシステム。
【図１】
2009026368.tif 000003
【図２】
2009026368.tif 000004
【図３】
2009026368.tif 000005
【図４】
2009026368.tif 000006
【図５】
2009026368.tif 000007
【図６】
2009026368.tif 000008